(57)【要約】      （修正有）【課題】接触感も良好で、足の裏全面を温めることができる湯たんぽを提供することを課題とする。【解決手段】湯を入れて体の一部を温める硬質材料からなる湯たんぽにおいて、足の裏のほぼ全面が密着可能な傾斜面１１を具備し、あるいは、前記傾斜面１１に土踏まずの相当する位置に円状突起を設け、さらに、前記傾斜面１１の下端に足の踵を乗せる平坦部２２を突起させて設けたことを特徴としている。【選択図】図３
2005143987.tif 000002
【特許請求の範囲】
【請求項１】
湯を入れて体の一部を温める硬質材料からなる湯たんぽにおいて、足の裏のほぼ全面が密着可能な傾斜面を具備したことを特徴とする湯たんぽ。
【請求項２】
前記傾斜面の下端に足の踵を乗せる平坦部を突起させて設けたことを特徴とする請求項１に記載の湯たんぽ。
【請求項３】
前記傾斜面に膨らみを設けて足の土踏まずの個所が密接触するようにしたことを特徴とする請求項１又は請求項２の何れか１に記載の湯たんぽ。
【請求項４】
前記湯たんぽは断面を台形等の転倒しにくい形状にしたことを特徴とする請求項１〜請求項３の何れか１に記載の湯たんぽ。
【請求項５】
前記傾斜面を揺動可能又は傾斜角度を調節可能にしたことを特徴とする請求項１〜請求項４の何れか１に記載の湯たんぽ。
【請求項６】
前記湯たんぽはステンレス鋼板で構成し、前記踵を乗せる平坦部は銅板で構成したことを特徴とする請求項１〜請求項５の何れか１に記載の湯たんぽ。
【請求項７】
前記湯たんぽは一部又は全部を陶器製材料で構成したことを特徴とする請求項１〜請求項６の何れか１に記載の湯たんぽ。
【請求項８】
前記湯たんぽの表面に内部の湯温度を計測する温度計を設けたことを特徴とする請求項１〜請求項７の何れか１に記載の湯たんぽ。
【請求項９】
湯を入れて体の一部を温める硬質材料からなる湯たんぽにおいて、椅子等に座った姿勢で足の裏のほぼ全面が密着可能な傾斜面又は平面を設けたことを特徴とする湯たんぽ。
【請求項１０】
前記した湯たんぽに低温火傷をしない程度のぬるい湯を入れて、該湯たんぽの傾斜面に足の裏を当てて足を温めるようにしたことを特徴とする請求項１〜請求項９の何れか１に記載の湯たんぽの使用方法。
【発明の詳細な説明】
【技術分野】
【０００１】
この発明は、人の足部分を温める湯たんぽに関するものである。
【背景技術】
【０００２】
従来から使用されている湯たんぽには硬質材料から構成されたものとビニール又はゴム等の柔軟性材料から構成されたものとがある。硬質材料から構成された湯たんぽは製造容易或いは持ち運びの便利等の理由からその形状は、例えば上から見た平面が楕円形状での端部を密閉し、内側を膨らませてお湯が入るようにした形状が主に利用されている。また、表面に波型を設けたものもある。暖房器具である湯たんぽの材料としては陶製のものが最高に良いとされている。しかし、陶製の湯たんぽは注入口からお湯が漏り易いという欠点がある。その次に金属製（ステンレス製、ブリキ製等）良いとされている。プラスティックやビニール製はあまり良くないとされている。
【０００３】
ビニール又はゴム等の柔軟性材料から構成された湯たんぽはビニール又はゴム等の材料で袋を構成し、湯の注ぎ口を設けた構成になっている。注ぎ口にはキャップによって水漏れが生じないように構成したもの、或いはクリップで注ぎ口を締め付けて水漏れが生じないようにしたもの等が使用されている。
【発明の開示】
【発明が解決しようとする課題】
【０００４】
従来の硬質材料から構成された湯たんぽは製造容易或いは持ち運びの便利等の理由からその形状を決定しているために、足の裏全面を湯たんぽに密着するのが困難であるという課題がある。又、ビニール又はゴム等の柔軟性材料から構成された湯たんぽは安価に製造可能であるが、接触感や熱伝達が劣るという課題がある。
本発明は、上記事実に鑑みなされたものであり、接触感も良好で、足の裏全面を温めることができる湯たんぽを提供することを課題とする。  
【課題を解決するための手段】
【０００５】
本発明は上記の課題を解決するための手段として以下の構成を採用している。即ち、
請求項１に記載の発明は、湯を入れて体の一部を温める硬質材料からなる湯たんぽにおいて、足の裏のほぼ全面が密着可能な傾斜面を具備したことを特徴としている。
【０００６】
また、請求項２に記載の発明は、請求項１に記載の湯たんぽにおいて、前記傾斜面の下端に足の踵を乗せる平坦部を突起させて設けたことを特徴としている。
請求項３に記載の発明は、請求項１又は請求項２記載の湯たんぽにおいて、前記傾斜面に膨らみを設けて足の土踏まずの個所が密接触するようにしたことを特徴としている。
【０００７】
また、請求項４に記載の発明は、請求項１〜請求項３に記載の湯たんぽにおいて、前記湯たんぽは断面が台形等の転倒しにくい形状にしたことを特徴としている。
請求項５に記載の発明は、請求項１〜請求項４に記載の湯たんぽにおいて、前記傾斜面を揺動可能又は傾斜角度を調節可能にしたことを特徴としている。
【０００８】
また、請求項７に記載の発明は、請求項１〜請求項６に記載の湯たんぽにおいて、前記湯たんぽは一部又は全部を陶器製材料で構成したことを特徴としている。
請求項８に記載の発明は、請求項１〜請求項７に記載の湯たんぽにおいて、前記湯たんぽの表面に内部の湯温度を計測する温度計を設けたことを特徴としている。
【０００９】
請求項９に記載の発明は、湯を入れて体の一部を温める硬質材料からなる湯たんぽにおいて、椅子等に座った姿勢で足の裏のほぼ全面が密着可能な傾斜面又は平面を設けたことを特徴としている。
【００１０】
請求項１０に記載の発明は、請求項１〜請求項９に記載の湯たんぽに低温火傷をしない程度のぬるい湯を入れて、該湯たんぽの傾斜面に足の裏を当てて足を温めるようにしたことを特徴としている。
【発明の効果】
【００１１】
足の裏面のほぼ全体が湯たんぽの温かい平面に密着し、気持ちの良い温かさを感じられると共に、傾斜面が適切な角度に構成されているので足の裏面を伸ばすことができ、疲労の回復が速いという効果が得られる。
【発明を実施するための最良の形態】
【００１２】
以下本発明の実施形態を図に基づいて説明する。図１は本発明の基本的な実施形態（以下、実施形態１という）を示す。図１（Ａ）は正面図を示し、（Ｂ）は人の足８を傾斜面に載せて足の裏が密接触している場合の側面図を示す。（Ｃ）は斜視図を示す。湯たんぽ本体１０は前面に傾斜した平面１１を有する台形状の容器で、上面１２には湯の注入口１３とキャップ１４が設けられている。湯たんぽ本体１０はステンレス又はブリキ等の金属で構成され、その内部には低温で火傷しない程度のぬるい湯、例えば、略摂氏４０〜摂氏５０度の湯を注入口１３から注入してキャップ１４で密閉した状態で使用する。
【００１３】
上記実施形態１の湯たんぽは人が寝床等の場所で仰向けになっている状態で使用することを目的とする湯たんぽである。使用方法は従来の湯たんぽと同様である。しかし、従来の湯たんぽと異なり、足８の裏面のほぼ全体が湯たんぽ本体１０の温かい平面１１に密着し、気持ちの良い温かさを感じられると共に、傾斜面が適切な角度に構成されているので足の裏面を伸ばすことができるため、疲労の回復が速いという効果が得られる。
【００１４】
図２は上記実施形態１を一部変更した実施形態（以下、実施形態２という）である。以下、変更部分について主に説明し、同じ部分については同じ参照番号を付して詳細な説明を省略する。図２（Ａ）は側面図を示し、（Ｂ）は斜視図を示す。図２（Ｃ）は実施形態２の態様を一部変更した実施例を示す。図２（Ａ）、（Ｂ）では、傾斜平面１１の下端縁に足の踵を乗せることができる平坦部２１（以下、「べろ」という）を突起させて設けている。平坦部２１を設けたことによって、足の裏面と同時に踵部分も同時に温められるので温足効果が増す結果となる。図２（Ｃ）は「べろ」２１の代わりに熱伝導性の高い板材２３を設けた例である。
【００１５】
図３は「べろ」の別の実施例である。図３（Ａ）は側面図を示し、（Ｂ）は斜視図を示す。図３で、「べろ」２２を構成する部材を熱伝導性の良い部材、例えば厚い銅板で「Ｙ」字状に形成して傾斜面１１の前面下端縁を銅板の「Ｙ」字状部分にサンドイッチ状に挟んで構成したものである。湯たんぽ本体１０の熱が十分に「べろ」２２にも伝わり、温足効果を高めた例である。
【００１６】
図４は更に別の実施形態を示す。図４（Ａ）は側面図を示し、（Ｂ）は斜視図を示す。図４（Ａ）、（Ｂ）において、傾斜面１１の略中央に設けた膨らみ部３１は人の足８の土踏まずに相当する部分に設けたもので、足の裏が完全に密接触するように構成したものである。図４（Ｃ）は膨らみ部３１を２個設けた例である。
【００１７】
図５（Ａ）〜（Ｃ）は更に別の変更例を示す。図５（Ａ）は湯たんぽ本体１０の後方にも傾斜面３３を設けた例である。後面の傾斜角ｂは前面の傾斜角ａと異なる傾斜角ｂで、傾斜面の選択を可能にすると共に下面板３４を広くして安定性を向上させた例である。図５（Ｂ）は湯たんぽ本体１０を支持枠３６によって支持し、傾斜面１１の傾斜角度を揺動可能又は調節可能にした例である。湯たんぽ本体１０の側面板に軸３７を突起させて設けて揺動可能にしている。更に図示省略の固定手段を設けて角度を調節可能にしてもよい。図５（Ｃ）は側面板又は後面板等の適宜の場所に温度計３９を設けて内部のお湯の温度を知ることができるようにした例である。これによって、暑すぎるお湯を注入して火傷等をすることも防止できるし、またお湯の温度がぬるすぎるときは交換時期を知ることができるという効果が得られる。
【００１８】
図６は別の実施形態で傾斜面に陶器類又は瀬戸物等の材質からなるタイル板４０を金属板、例えば鋼板からなる湯たんぽ本体１０の傾斜面１１（及び上側面）の表面に貼り付けて接触感を良くした例である。図６（Ａ）は側面図を示し、（Ｂ）は斜視図を示す。タイル板４０を張ることによってお湯の温度が高くても火傷等の心配が少なくなるだけでなく、美観も向上させることもできるという効果ガ得られる。
【００１９】
図７は椅子等に座って使用する湯たんぽの例を示す。図７（Ａ）は側面図を示し、（Ｂ）は斜視図を示す。図７において、湯たんぽ本体４２はステンレス等の鋼板製で、上側に足を乗せる平面部４３を具備し、後方の一端側にお湯の注入口１３を有する凸部４４を形成している。注入口１３の上側はキャップ１４で密封される。これによって中のお湯がこぼれないようにされている。
【００２０】
以上本発明の実施形態を図面に基づいて詳述してきたが、本発明の技術的範囲はこれに限られるものではなく、これらを組み合わせたもの、又は単なる設計上の差異に過ぎないものは本発明の技術的範囲に属する。なお、湯たんぽに入れる湯の温度は短時間の使用の場合、又は湯の温度が比較的速やかに冷める場合は、湯温度が高温（例えば、摂氏４０度〜摂氏７０度）でも良いが、長時間使用する場合（例えば、寝たきりの老人等が寝床で使用する場合等）は低温火傷が生じない程度の温度（例えば、摂氏２５度〜摂氏４０度）位にする。
【図面の簡単な説明】
【００２１】
【図１】本発明の実施形態１の正面図（Ａ）、側面図（Ｂ）及び斜視図（Ｃ）を示す。
【図２】実施形態２の側面図（Ａ）、斜視図（Ｂ）及び一部変更した実施例（Ｃ）を示す。
【図３】実施形態２の別の実施例を示す。（Ａ）は側面図、（Ｂ）は斜視図を示す。
【図４】別の実施形態を示す。（Ａ）は（Ａ）は側面図、（Ｂ）は斜視図を示す。（Ｃ）は膨らみを２個設けた実施例を示す。
【図５】別の実施形態を示す。（Ａ）は前後に傾斜角度の異なる傾斜面を設けた実施形態を示す。（Ｂ）は傾斜角度を揺動又は調節可能にした実施形態を示す。（Ｃ）は壁面に温度計を設けた実施形態を示す。
【図６】陶製のタイルを傾斜面及び上面に貼った実施形態を示す。
【図７】椅子に座って使用可能にした湯たんぽを示す。（Ａ）は側面図、（Ｂ）は斜視図を示す。
【符号の説明】
【００２２】
８          人の足
１０          湯たんぽ本体
１１          傾斜面
１２          上面
１３          お湯注入口
１４          キャップ
２１          べろ（踵を乗せる平坦部）
３１          膨らみ
３３          傾斜面
３６          支持枠
３９          温度計
４０          陶製タイル
【図１】
2005143987.tif 000003
【図２】
2005143987.tif 000004
【図３】
2005143987.tif 000005
【図４】
2005143987.tif 000006
【図５】
2005143987.tif 000007
【図６】
2005143987.tif 000008
【図７】
2005143987.tif 000009